【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】  下記のものを含むリストから被験者の１つ以上のパラメータを連続的かつ非侵襲的に得る方法であって、
ｉ．  収縮期血圧、
ii．  拡張期血圧、
iii.  動脈のヤング率、
iv．  心拍出量、
ｖ．  血管抵抗の相対変化、
vi．  血管伸展性の相対変化、
該方法は、
（ａ）  被験者の脈波の伝播速度に対する被験者の血流速度の比、κ、を実質的に連続的かつ非侵襲的に得るステップと、
（ｂ）  所望するパラメータの瞬時値を得るように実質的にリアルタイムでκを処理するステップと、
を含む方法。
【請求項２】  請求項１記載の方法であって、κは被験者から得られたPG（プレチスモグラフ）信号およびPTT（脈通過時間）を連続的かつ非侵襲的に処理して得られる方法。
【請求項３】  請求項２記載の方法であって、κは下記のアルゴリズム式に従って得られ、
【数１】
κ=1/(1/(PEAK・v)+1),
ここに、ｖは脈速度であり、また、
【数２】
PEAK=k1・PTT・PA+k2・AREA,
であって、PAおよびAREAはPG信号から得られる脈波のそれぞれ振幅および面積であり、k1およびk2は経験的に得られる方法。
【請求項４】  請求項２記載の方法であって、κは下記のアルゴリズム式に従って得られ、
【数３】
2002536104.tif 000001
ここに、PAはPG信号から得られる脈波の振幅である方法。
【請求項５】  請求項３および４記載の方法であって、さらに、脈波内の低速変動をフィルタリングするステップを含む方法。
【請求項６】  請求項５記載の方法であって、PEAK内の低速変動は請求項３のPEAKをPEAK/(PEAKの低速成分)2で置換してフィルタリングされる方法。
【請求項７】  請求項１記載の方法であって、ステップ（ａ）において被験者の収縮期血圧を計算するために要求される処理は下記のアルゴリズム式を含み、
【数４】
SP=ρv2Φ(κ,γ),
ここに、ρは血液密度、γは血液の熱力学的ポアソン指数、ｖは脈波速度であり、かつ、
【数５】
2002536104.tif 000002
である方法。
【請求項８】  請求項１記載の方法であって、ステップ（ａ）において被験者の収縮期血圧を計算するために要求される処理は下記のアルゴリズム式を含み、
【数６】
SP=(logv2)/α+2ρv2κ/3+λ,
ここに、ρは血液密度、vは脈波速度、またλ=(log(2ρR/E0h))/αであり、ここに、Ｒは動脈の半径、E0はゼロ圧に関するヤング率、ｈは動脈壁の厚さであり、αは経験的に得られる方法。
【請求項９】  請求項１記載の方法であって、ステップ（ａ）において被験者の収縮期血圧を計算するために要求される処理は下記のアルゴリズム式を含み、
【数７】
SP=［(logv2)/α+λ］/(1-κ),
ここに、ｖは脈波速度、またλ=(log(2ρR/E0h))/αであり、Ｒは動脈の半径、E0はゼロ圧に関するヤング率、ρは血液密度、ｈは動脈壁の厚さであり、αは経験的に得られる方法。
【請求項１０】  請求項１記載の方法であって、ステップ（ａ）において被験者の収縮期血圧を計算するために要求される処理は下記のアルゴリズム式を含み、
【数８】
SP=(logv2/(1-εH2))/α+2ρv2κ/3+λ,
ここに、ρは血液密度、ｖは脈波速度、Ｈは心拍数、λ=(log(2ρR/E0h))/αであり、ここに、Ｒは動脈の半径、E0はゼロ圧に関するヤング率、ｈは動脈壁の厚さであり、εおよびαは経験的に得られる方法。
【請求項１１】  請求項１記載の方法であって、ステップ（ａ）において被験者の収縮期血圧を計算するために要求される処理は下記のアルゴリズム式を含み、
【数９】
SP=［(logv2/(1-εH2))/α+λ］/(1-κ),
ここに、ｖは脈波速度、Ｈは心拍数、λ=(log(2ρR/E0h))/αであり、ここに、Ｒは動脈の半径、E0はゼロ圧に関するヤング率、ｈは動脈壁の厚さであり、ρは血液密度、εおよびαは経験的に得られる方法。
【請求項１２】  請求項１記載の方法であって、ステップ（ａ）において被験者の拡張期血圧を計算するために要求される処理は下記のアルゴリズム式を含み、
【数１０】
DP=SP-ρv2κ,
ここに、SPは収縮期血圧、ρは血液密度、ｖは脈波速度である方法。
【請求項１３】  請求項１記載の方法であって、ステップ（ａ）において被験者の動脈のヤング率を計算するために要求される処理は下記のアルゴリズム式を含み、
【数１１】
E=(2R/h)(SP-DP)/κ,
ここに、Ｒは動脈の半径、ｈは動脈壁の厚さ、SPは収縮期血圧、DPは拡張期血圧である方法。
【請求項１４】  請求項１記載の方法であって、ステップ（ａ）において被験者の動脈のヤング率を計算するために要求される処理は下記のアルゴリズム式を含み、
【数１２】
E=(2R/h)SP/Φ(κ,γ),
ここに、Ｒは動脈の半径、ｈは動脈壁の厚さ、SPは収縮期血圧、γは血液の熱力学的ポアソン指数であり、
【数１３】
2002536104.tif 000003
である方法。
【請求項１５】  請求項１記載の方法であって、ステップ（ａ）において被験者の動脈のヤング率を計算するために要求される処理は下記のアルゴリズム式を含み、
【数１４】
E=(2R/h)・ρ・exp(-λ+MP)α,
ここに、Ｒは動脈の半径、ｈは動脈壁の厚さ、ρは血液密度、MP=(SP+2・DP)/3であり、ここに、SPは収縮期血圧、DPは拡張期血圧であり、収縮期血圧もしくは拡張期血圧の少なくとも１方はκを含むアルゴリズム式を使用して得られ、また、λ=(log(2ρR/E0h))/αであって、E0はゼロ圧に関するヤング率、αは経験的に得られる定数である方法。
【請求項１６】  請求項１記載の方法であって、ステップ（ａ）において被験者の動脈のヤング率を計算するために要求される処理は下記のアルゴリズム式を含み、
【数１５】
E=(2R/h)・ρ・exp((-λ+SP・(1-κ))α),
ここに、Ｒは動脈の半径、ｈは動脈壁の厚さ、ρは血液密度、SPは収縮期血圧であり、また、λ=(log(2ρR/E0h))/αであって、E0はゼロ圧に関するヤング率、αは経験的に得られる定数である方法。
【請求項１７】  請求項１記載の方法であって、ステップ（ａ）において被験者の心拍出量を計算するために要求される処理は下記のアルゴリズム式を含み、
【数１６】
CO=PEAK・｛v・［1+SP/(2ρ・v2)］｝2
ここに、SPはκを含むアルゴリズム式を使用して得られる収縮期血圧、ρは血液密度、ｖは脈波速度であり、また、
【数１７】
PEAK=k1・PTT・PA+k2・AREA,
であって、PAおよびAREAはPG信号から得られる脈波ピークのそれぞれ振幅および面積であり、k1およびk2は経験的に得られる方法。
【請求項１８】  請求項１４記載の方法であって、さらに、脈波内の低速変動をフィルタリングするステップを含む方法。
【請求項１９】  請求項１記載の方法であって、ステップ（ａ）において被験者の心抵抗を計算するために要求される処理は下記のアルゴリズム式を含み、
【数１８】
VR=(SP-DP)/CO
ここに、SP,DPおよびCOのいずれか１つ以上がκを含む計算から得られる方法。
【請求項２０】  請求項１記載の方法であって、ステップ（ａ）において被験者の血管伸展性を計算するために要求される処理は下記のアルゴリズム式を含み、
【数１９】
VC=PEAK/(SP-DP)
ここに、
PEAK=k1・PTT・PA+k2・AREA,
であって、PAおよびAREAはPG信号から得られる脈波のそれぞれ振幅および面積であり、k1およびk2は経験的に得られる方法。
【請求項２１】  被験者の血圧の変化が心拍出量の変化によるものかあるいは血管伸展性の変化によるものかを連続的かつ非侵襲的に決定する方法であって、該方法は、
（ａ）  被験者の脈波の伝播速度に対する被験者の血流速度の比、κを実質的に連続的かつ非侵襲的に得るステップと、
（ｂ）  被験者のSP,COおよびVCの瞬時値を得るように実質的にリアルタイムでκを処理するステップと、
（ｃ）  下記のアルゴリズム式の瞬時値を得るように被験者のSP,COおよびVCをリアルタイムで処理するステップと、を含み、
【数２０】
INDEX1=∂SP/∂CO-∂SP/∂VC
時間と共に増加するINDEX1は心拍出量の変化による被験者の血圧の変化を示し、そうでなければ被験者の血圧の変化は血管伸展性の変化によるものと決定する方法。
【請求項２２】  被験者の血圧の変化が被験者の心拍出量の変化によるものかあるいは血管抵抗の変化によるものかを連続的かつ非侵襲的に決定する方法であって、該方法は、
（ａ）  被験者の脈波の伝播速度に対する被験者の血流速度の比、κを実質的に連続的かつ非侵襲的に得るステップと、
（ｂ）  被験者のSP,COおよびVRの瞬時値を得るように実質的にリアルタイムでκを処理するステップと、
（ｃ）  下記のアルゴリズム式の瞬時値を得るように被験者のSP, COおよびVRをリアルタイムで処理するステップと、を含み、
【数２１】
INDEX2=∂SP/∂CO-∂SP/∂VR
時間と共に増加するINDEX2は心拍出量の変化による被験者の血圧の変化を示し、そうでなければ被験者の血圧の変化は血管抵抗の変化によるものと決定する方法。
【請求項２３】  下記のものを含むリストから被験者（１０）の１つ以上の心臓パラメータを連続的かつ非侵襲的に得る装置であって、
ｉ．  収縮期血圧、
ii．  拡張期血圧、
iii.  動脈のヤング率、
iv．  心拍出量、
ｖ．  血管抵抗の相対変化、
vi．  血管伸展性の相対変化、
該装置は、
（ａ）  被験者の脈波の伝播速度に対する被験者の血流速度の比、κを実質的に連続的かつ非侵襲的に得る装置と、
（ｂ）  所望するパラメータの瞬時値を得るように実質的にリアルタイムでκを処理する装置（１６）と、
を含む装置。
【請求項２４】  請求項２３記載の装置であって、κは被験者（１０）から得られたPG（プレチスモグラフ）信号およびPTT（脈通過時間）を連続的かつ非侵襲的に処理して得られる装置。
【請求項２５】  請求項２４記載の装置であって、κは下記のアルゴリズム式に従って得られ、
【数２２】
κ=1/(1/(PEAK・v)+1),
ここに、ｖはPTTに逆比例し、また、
【数２３】
PEAK=k1・PTT・PA+k2・AREA,
であって、PAおよびAREAはPG信号から得られる脈波のそれぞれ振幅および面積であり、k1およびk2は経験的に得られる装置。
【請求項２６】  請求項２３記載の装置であって、κは下記のアルゴリズム式に従って得られ、
【数２４】
κ=1/((1/PA)+1)
ここに、PAはPG信号から得られる脈波の振幅である装置。
【請求項２７】  請求項２５記載の装置であって、脈波内の低速変動をフィルタリングすることができる装置。
【請求項２８】  請求項２７記載の装置であって、脈波内の低速変動は請求項２２のPEAKをPEAK/(PEAKの低速成分)2で置換してフィルタリングされる装置。
【請求項２９】  請求項２３記載の装置であって、ステップ（ａ）において被験者の収縮期血圧を計算するために要求される処理は下記のアルゴリズム式を含み、
【数２５】
SP=ρv2Φ(κ,γ),
ここに、ρは血液密度、γは血液の熱力学的ポアソン指数、ｖは脈波速度であり、かつ、
【数２６】
2002536104.tif 000004
である装置。
【請求項３０】  請求項２３記載の装置であって、ステップ（ａ）において被験者の収縮期血圧を計算するために要求される処理は下記のアルゴリズム式を含み、
【数２７】
SP=(logv2)/α+2ρv2κ/3+λ,
ここに、ρは血液密度、またλ=(log(2ρR/E0h))/αであり、ここに、Ｒは動脈の半径、E0はゼロ圧に関するヤング率、hは動脈壁の厚さであり、αは経験的に得られる装置。
【請求項３１】  請求項２３記載の装置であって、ステップ（ａ）に被験者の収縮期血圧を計算するために要求される処理は下記のアルゴリズム式を含み、
【数２８】
SP=［(logv2)/α+λ］/(1-κ),
ここに、ｖは脈波速度、またλ=(log(2ρR/E0h))/αであり、Ｒは動脈の半径、E0はゼロ圧に関するヤング率、ρは血液密度、ｈは動脈壁の厚さであり、αは経験的に得られる装置。
【請求項３２】  請求項２３記載の装置であって、ステップ（ａ）において被験者の収縮期血圧を計算するために要求される処理は下記のアルゴリズム式を含み、
【数２９】
SP=(logv2/(1-εH2))/α+2ρv2κ/3+λ,
ここに、ρは血液密度、ｖは脈波速度、Ｈは心拍出数、λ=(log(2ρR/E0h))/αであり、ここに、Ｒは動脈の半径、E0はゼロ圧に関するヤング率、ｈは動脈壁の厚さであり、εおよびαは経験的に得られる装置。
【請求項３３】  請求項２３記載の装置であって、ステップ（ａ）において被験者の収縮期血圧を計算するために要求される処理は下記のアルゴリズム式を含み、
【数３０】
SP=［(logv2/(1-εH2))/α+λ］/(1-κ),
ここに、ｖは脈波速度、Ｈは心拍数、λ=(log(2ρR/E0h))/αであり、ここに、Ｒは動脈の半径、E0はゼロ圧に関するヤング率、ｈは動脈壁の厚さ、ρは血液密度であり、εおよびαは経験的に得られる装置。
【請求項３４】  請求項２３記載の装置であって、ステップ（ａ）において被験者の拡張期血圧を計算するために要求される処理は下記のアルゴリズム式を含み、
【数３１】
DP=SP-ρv2κ,
ここに、SPは収縮期血圧、ρは血液密度、ｖは脈波速度である装置。
【請求項３５】  請求項２３記載の装置であって、ステップ（ａ）において被験者の動脈のヤング率を計算するために要求される処理は下記のアルゴリズム式を含み、
【数３２】
E=(2R/h)(SP-DP)/κ,
ここに、Ｒは動脈の半径、ｈは動脈壁の厚さ、SPは収縮期血圧、DPは拡張期血圧である装置。
【請求項３６】  請求項２３記載の装置であって、ステップ（ａ）において被験者の動脈のヤング率を計算するために要求される処理は下記のアルゴリズム式を含み、
【数３３】
E=(2R/h)SP/Φ(κ,γ),
ここに、Ｒは動脈の半径、ｈは動脈壁の厚さ、SPは収縮期血圧、γは血液の熱力学的ポアソン指数であり、
【数３４】
2002536104.tif 000005
である装置。
【請求項３７】  請求項２３記載の装置であって、ステップ（ａ）において被験者の動脈のヤング率を計算するために要求される処理は下記のアルゴリズム式を含み、
【数３５】
E=(2R/h)・ρ・exp(-λ+MP)α,
ここに、Ｒは動脈の半径、ｈは動脈壁の厚さ、ρは血液密度、MP=(SP+2・DP)/3であり、ここに、SPは収縮期血圧、DPは拡張期血圧であり、収縮期血圧もしくは拡張期血圧の少なくとも１方はκを含むアルゴリズム式を使用して得られ、また、λ=(log(2ρR/E0h))/αであって、E0はゼロ圧に関するヤング率、αは経験的に得られる定数である装置。
【請求項３８】  請求項３５記載の装置であって、ステップ（ａ）において被験者の動脈のヤング率を計算するために要求される処理は下記のアルゴリズム式を含み、
【数３６】
E=(2R/h)・ρ・exp((-λ+SP・(1-κ))α
ここに、Ｒは動脈の半径、ｈは動脈壁の厚さ、ρは血液密度、SPは収縮期血圧であり、また、λ=(log(2ρR/E0h))/αであって、E0はゼロ圧に関するヤング率、αは経験的に得られる定数である装置。
【請求項３９】  請求項２３記載の装置であって、ステップ（ａ）において被験者の心拍出量を計算するために要求される処理は下記のアルゴリズム式を含み、
【数３７】
CO=PEAK・｛v・［1+SP/(2ρ・v2)］｝2
ここに、SPはκを含むアルゴリズム式を使用して得られる収縮期血圧であり、また、
【数３８】
PEAK=k1・PTT・PA+k2・AREA,
であって、PAおよびAREAはPG信号から得られる脈波のそれぞれ振幅および面積であり、k1およびk2は経験的に得られる装置。
【請求項４０】  請求項２３記載の装置であって、ステップ（ａ）において被験者の心臓抵抗を計算するために要求される処理は下記のアルゴリズム式を含み、
【数３９】
VR=(SP-DP)/CO
ここに、SP,DPおよびCOのいずれか１つ以上がκを含む計算から得られる装置。
【請求項４１】  被験者の血圧の変化が心拍出量の変化によるものかあるいは血管伸展性の変化によるものかを連続的かつ非侵襲的に決定する装置であって、該装置は、
（ａ）  被験者の脈波の伝播速度に対する被験者の血流速度の比、κを実質的に連続的かつ非侵襲的に得る装置と、
（ｂ）  被験者のSP,COおよびVCの瞬時値を得るように実質的にリアルタイムでκを処理する装置（１６）と、
（ｃ）  下記のアルゴリズム式の瞬時値を得るように被験者のSP,COおよびVCをリアルタイムで処理する装置と、を含み、
【数４０】
INDEX1=∂SP/∂CO-∂SP/∂VC
時間と共に増加するINDEX1は心拍出量の変化による被験者の血圧の変化を示し、そうでなければ被験者の血圧の変化は血管伸展性の変化によるものと決定する装置。
【請求項４２】  被験者の血圧の変化が被験者の血管抵抗の変化によるものであるかを連続的かつ非侵襲的に決定する装置であって、該装置は、
（ａ）  被験者の脈波の伝播速度に対する被験者の血流速度の比、κを実質的に連続的かつ非侵襲的に得る装置と、
（ｂ）  被験者のSP,COおよびVRの瞬時値を得るように実質的にリアルタイムでκを処理する装置（１６）と、
（ｃ）  下記のアルゴリズム式の瞬時値を得るように被験者のSP,COおよびVRをリアルタイムで処理する装置と、を含み、
【数４１】
INDEX2=∂SP/∂CO-∂SP/∂VR
時間と共に増加するINDEX2は心拍出量の変化による被験者の血圧の変化を示し、そうでなければ被験者の血圧の変化は血管抵抗の変化によるものと決定する装置。